(57)【要約】【課題】壁部を汚さず手摺部材及び手摺ブラケットを取り付ける作業が容易に行える手摺取付方法及び手摺取付用治具を提供する。【解決手段】本手摺取付方法は、手摺部材の取付高さを特定する手摺部材高さ特定工程（Ｓ１）と、前記手摺部材の取付高さに合わせて手摺取付用治具を壁部に仮固定する治具固定工程（Ｓ２）と、前記手摺部材の長手方向の両端部の位置に対応する一対の手摺端部印を前記手摺取付用治具に記入する手摺端部印記入工程（Ｓ３）と、手摺ブラケット取付印を前記手摺取付用治具に記入する手摺ブラケット取付印記入工程（Ｓ４）と、前記手摺ブラケットを前記手摺取付用治具の前記手摺ブラケット取付印に近接配置して前記手摺ブラケットを前記壁部に固定する手摺ブラケット固定工程（Ｓ５）と、前記手摺部材を前記手摺ブラケットに固定する手摺部材固定工程と、を有することを特徴とする。【選択図】図３
2020002687.tif 000002
【特許請求の範囲】
【請求項１】
手摺部材の取付高さを特定する手摺部材高さ特定工程と、
特定された前記手摺部材の取付高さに合わせて長尺な手摺取付用治具を壁部に仮固定する治具固定工程と、
前記手摺部材の長手方向の両端部の位置に対応する一対の手摺端部印を前記手摺取付用治具に記入する手摺端部印記入工程と、
前記手摺部材を支持する手摺ブラケットの前記壁部への取付位置である手摺ブラケット取付印を前記手摺取付用治具に記入する手摺ブラケット取付印記入工程と、
前記手摺ブラケットを前記手摺ブラケット取付印に近接配置して前記壁部に固定する手摺ブラケット固定工程と、
前記手摺部材を前記手摺ブラケットに固定する手摺部材固定工程と、
を有することを特徴とする手摺取付方法。
【請求項２】
前記一対の手摺端部印間の距離に応じて前記手摺部材を切断する手摺部材切断工程をさらに有する
請求項１に記載の手摺取付方法。
【請求項３】
前記手摺部材固定工程後、前記手摺取付用治具を前記壁部から取り外す治具取外し工程をさらに有する
請求項１または請求項２に記載の手摺取付方法。
【請求項４】
請求項１から請求項３のいずれか一項に記載の手摺取付方法で用いる手摺取付用治具であって、
帯形状を有する長尺部材であり、
長手方向に直交する方向の幅が、壁部に取り付けられる手摺部材の上端部の位置から前記手摺部材を取り付ける手摺ブラケットの前記壁部への取付基準位置までの長さと等しいことを特徴とする手摺取付用治具。
【請求項５】
前記取付基準位置は前記手摺ブラケットの前記壁部への固定部の上端であり、
前記幅が、前記手摺部材の上端部の位置から前記固定部の上端までの長さと等しい請求項４に記載の手摺取付用治具。
【請求項６】
平面部に前記長手方向に沿って設けられるガイド線を有する
請求項４または請求項５に記載の手摺取付用治具。
【請求項７】
ロール状に巻回されており、前記ガイド線が、巻回された内側面に形成されている
請求項６に記載の手摺取付用治具。
【発明の詳細な説明】
【技術分野】
【０００１】
本発明は、手摺取付方法及び手摺取付用治具に関する。
【背景技術】
【０００２】
従来、歩行者の歩行を補助するため、廊下や階段の壁部に棒状の手摺が取り付けられている。また、近年、高齢の居住者が既存の住居の廊下や階段に手摺を設置するリフォームを行う需要がある。階段やスロープに手摺を設置する場合、階段やスロープの傾斜に応じて高さが異なる位置に複数の手摺ブラケットを取り付け、手摺ブラケット間に手摺部材を架設する。階段は、上下階を直線状に結ぶ直階段や、平面視Ｌ字状の折れ階段や、途中で平面視Ｕ字状に折り返される折り返し階段等、建物によって態様が異なる。また、階段の傾斜角度や寸法も建物によって異なる。そのため、階段に手摺を設置する際、施工現場において手摺の取付位置及び手摺の長さを実測しながら施工している。
【０００３】
歩行者は、手摺の上方から手を載せるようにして手摺を使用している。そのため、手摺の取付位置は、床面から手摺の上端までの高さを基準として手摺の高さで位置決めする。一方、手摺は、壁部に固定された手摺ブラケットに固定され、壁部から離間した位置に配置される。そのため、施工者は手摺の上端の位置に基づいて手摺ブラケットの壁部への取付位置を算出し、手摺ブラケットの取付位置を壁面に墨出している（例えば、特許文献１）。
【先行技術文献】
【特許文献】
【０００４】
【特許文献１】特許第３３４２４７３号公報
【発明の概要】
【発明が解決しようとする課題】
【０００５】
例えば、リフォーム工事の場合等、壁紙等の仕上げ材が設けられている壁部に手摺を設置する場合がある。特許文献１の手摺ブラケット取付方法では、壁紙に墨出しラインを付して手摺ブラケットを取り付ける必要がある。しかし、壁紙に墨出しラインを付して壁紙を汚すことは敬遠される。一方、墨出しを行わずに、手摺や手摺ブラケットの設置位置の位置決め作業を行うことは難しい。
【０００６】
上記事情を踏まえ、本発明は、壁部を汚すことなく手摺部材及び手摺ブラケットを取り付ける作業が容易に行える手摺取付方法及び手摺取付用治具を提供することを目的とする。
【課題を解決するための手段】
【０００７】
本発明に係る手摺取付方法は、手摺部材の取付高さを特定する手摺部材高さ特定工程と、特定された前記手摺部材の取付高さに合わせて長尺な手摺取付用治具を壁部に仮固定する治具固定工程と、前記手摺部材の長手方向の両端部の位置であるに対応する一対の手摺端部印を前記手摺取付用治具に記入する手摺端部印記入工程と、前記手摺部材を支持する手摺ブラケットの壁部への取付位置である手摺ブラケット取付印を前記手摺取付用治具に記入する手摺ブラケット取付印記入工程と、前記手摺ブラケットを前記手摺取付用治具の前記手摺ブラケット取付印に近接配置して前記手摺ブラケットを前記壁部に固定する手摺ブラケット固定工程と、前記手摺部材を前記手摺ブラケットに固定する手摺部材固定工程と、を有することを特徴とする。
【０００８】
この発明によれば、手摺部材及び手摺ブラケットを取り付ける作業が容易に行える。具体的には、手摺部材高さ特定工程により特定された手摺部材の取付高さに合わせて長尺な手摺取付用治具を壁部に仮固定し、手摺取付用治具の位置に合わせて手摺ブラケット及び手摺部材を固定するため、壁部に墨出し線を引く必要がない。その結果、例えば、壁紙等の仕上げ材で覆われた壁部に手摺を取り付ける場合であっても、墨出し線等で壁部を汚すことなく、容易に手摺部材及び手摺ブラケットを取り付けることができる。
【０００９】
本発明に係る手摺取付方法は、前記一対の手摺端部印間の距離に応じて前記手摺部材を切断する手摺部材切断工程をさらに有してもよい。
【００１０】
この発明によれば、手摺端部印記入工程において手摺取付用治具に記入した一対の手摺端部印間の距離に応じて手摺部材を切断できる。この結果、手摺部材の寸法の計測が容易であり、且つ、手摺部材を設置寸法に対応させて容易に切断できる。
【００１１】
本発明に係る手摺取付方法は、前記手摺部材固定工程後、前記手摺取付用治具を前記壁部から取り外す治具取外し工程をさらに有してもよい。
【００１２】
この発明によれば、手摺部材及び手摺ブラケットの取付位置を示す印を手摺取付用治具に記入し、手摺ブラケット及び手摺部材を固定した後、手摺取付用治具を壁部から取り外すことができる。したがって、壁部に直接墨出し線を付す従来の方法に比べて、壁部を汚すことなく手摺部材及び手摺ブラケットを取り付けられる。この結果、壁紙等の仕上げ材が設けられている壁部であっても容易に手摺を取り付けられる。
【００１３】
本発明に係る手摺取付用治具は、上記手摺取付方法で用いる手摺取付用治具であって、帯形状を有する長尺部材であり、長手方向に直交する方向の幅が、壁部に取り付けられる手摺部材の上端部の位置から前記手摺部材を取り付ける手摺ブラケットの前記壁部への取付基準位置までの長さと等しいことを特徴とする。
【００１４】
この発明によれば、手摺取付用治具が長尺な帯形状を有し、長手方向に直交する方向の幅が、手摺部材の上端部から手摺部材が取り付けられる手摺ブラケットの壁部への取付位置までの長さと等しいため、手摺取付用治具を壁部に仮固定することにより、手摺部材の取付位置に応じた手摺ブラケットの取付基準位置を容易に特定できる。また、壁部に墨出し線を引く必要がない。さらに、手摺取付用治具により手摺ブラケットの取り付け位置を容易に視認できる。したがって、手摺部材及び手摺ブラケットを取り付ける作業が容易に行える。
【００１５】
本発明に係る手摺取付用治具は、前記取付基準位置は前記手摺ブラケットの前記壁部への固定部の上端であり、前記幅が、前記手摺部材の上端部の位置から前記固定部の上端までの長さと等しくてもよい。
【００１６】
この発明によれば、手摺取付用治具を壁部に仮固定すると、第一端部により手摺部材の取り付け位置が容易に位置決めされ、第二端部により手摺ブラケットの取り付け位置が容易に位置決めできる。
【００１７】
本発明に係る手摺取付用治具は、平面部に前記長手方向に沿って設けられるガイド線を有してもよい。
【００１８】
この発明によれば、帯形状の手摺取付用治具の長手方向に沿って設けられたガイド線により、手摺部材の下端の高さまたは手摺ブラケットにおける手摺部材の固定位置を容易に視認できる。
【００１９】
本発明に係る手摺取付用治具は、ロール状に巻回されており、前記ガイド線が、巻回された内側面に形成されていてもよい。
【００２０】
この発明によれば、手摺取付用治具がロール状に巻回されているため、治具固定工程において壁部に手摺取付用治具を仮固定する作業が行いやすい。
【発明の効果】
【００２１】
本発明は、壁部を汚すことなく手摺部材及び手摺ブラケットを取り付ける作業が容易に行える手摺取付方法及び手摺取付用治具を提供できる。
【図面の簡単な説明】
【００２２】
【図１】本発明の一実施形態に係る手摺取付方法及び手摺取付用治具を使用して手摺ユニットを階段に取り付けた施工例を示す斜視図である。
【図２】本発明の一実施形態に係る手摺取付方法を示す縦断面図である。
【図３】本発明の一実施形態に係る手摺取付方法を示すフローチャートである。
【図４】本発明の一実施形態に係る手摺取付方法を示す模式図である。
【図５】本発明の一実施形態に係る手摺取付用治具を示す正面図である。
【図６】本発明の一実施形態に係る手摺取付方法を示す模式図である。
【図７】本発明の一実施形態に係る手摺取付方法を示す模式図である。
【図８】本発明の一実施形態に係る手摺取付方法を示す模式図である。
【図９】本発明の一実施形態に係る手摺取付方法を示す模式図である。
【図１０】本発明の一実施形態の手摺ユニットの態様を示す模式図である。
【図１１】本発明の一実施形態に係る手摺取付方法を示す模式図である。
【図１２】本発明の一実施形態に係る手摺取付用治具の変形例を示す斜視図である。
【図１３】本発明の一実施形態に係る手摺取付方法の変形例を示す縦断面図である。
【図１４】本発明の一実施形態に係る手摺取付方法の変形例を示す模式図である。
【図１５】本発明の一実施形態に係る手摺取付方法の変形例を示す模式図である。
【発明を実施するための形態】
【００２３】
以下、本発明の一実施形態に係る手摺取付方法及び手摺取付用治具について説明する。図１は、本実施形態に係る実施形態に係る手摺取付方法及び手摺取付用治具を使用して手摺ユニットを階段に取り付けた施工例を示す斜視図である。図２は、本実施形態に係る手摺取付方法を示す縦断面図である。本実施形態に係る手摺取付方法及び手摺取付用治具を、図１に示す階段Ｓに手摺ユニット１００を取り付ける例を用いて説明する。
【００２４】
まず、階段Ｓに取り付ける手摺ユニット１００について説明する。図１及び図２に示すように、手摺ユニット１００は、手摺部材４０と、手摺ブラケット２０とを備えている。手摺部材４０は、互いに離間配置されて壁部Ｗに固定された一対の手摺ブラケット２０により支持、固定され、壁部Ｗに固定される。本実施形態の手摺ユニット１００では、手摺部材４０は壁部Ｗから離間した位置で固定される。手摺部材４０は、階段Ｓの壁部Ｗに複数設けられる。各手摺部材４０は床面Ｆから所定の高さに設置される。階段Ｓに手摺を設ける場合、手摺部材４０は、階段Ｓの踏板SＦから所定の高さＨ１に設置される。このため、手摺部材４０は階段Ｓの傾斜角度に応じて踏板SＦに対して傾斜して設置される。階段Ｓに踊り場ＳＬが設けられる場合、踊り場ＳＬに面した壁部Ｗに取り付けられる手摺部材４０は、踊り場ＳＬの床面から所定の高さで略水平方向に設置される。
【００２５】
手摺部材４０は、木製、樹脂製、アルミニウム合金製等の長尺部材である。本実施形態では、長手方向に直交する断面形状が略長方形状の手摺部材４０を例示する。
【００２６】
手摺ブラケット２０は、公知の手摺ブラケットであり、樹脂製、アルミニウム合金製等の型材である。図２に示すように、手摺ブラケット２０は、アーム部２１と、壁部Ｗに固定される壁固定端部（固定部）２２と、手摺部材４０が支持固定される手摺固定端部２３とを備えている。壁固定端部２２は、アーム部２１の端部に設けられ、鉛直方向に延びる固定面２２１を有し、固定面２２１には、手摺ブラケット２０を壁部Ｗに固定するためのネジ孔（不図示）が形成されている。手摺固定端部２３は、アーム部２１の上端部に設けられ、手摺部材４０を載置する載置面２３１を有し、載置面２３１には、手摺部材４０を固定するためのネジ孔（不図示）が形成されている。アーム部２１は、固定面２２１及び載置面２３１の各ネジ孔が露出する凹部を備え、この凹部を覆うネジ隠しカバー２６を更に備える。
【００２７】
図３は、本実施形態に係る手摺取付方法を示すフローチャートである。図３に示すフローチャートを参照して本実施形態に係る手摺取付方法を説明する。本実施形態に係る手摺取付方法は、手摺部材高さ特定工程Ｓ１と、治具固定工程Ｓ２と、手摺端部印記入工程Ｓ３と、手摺ブラケット取付印記入工程Ｓ４と、手摺ブラケット固定工程Ｓ５と、手摺部材固定工程Ｓ６とを備える。
【００２８】
まず、壁部Ｗにおける手摺部材４０の取付高さ位置を特定する（手摺部材高さ特定工程Ｓ１）。図４は、手摺部材高さ特定工程Ｓ１の態様を示す模式図である。踏板SＦ及び踊り場ＳＬの床面からの手摺部材４０の上端の取付高さＨ１は、手摺を使用する歩行者に応じて任意に設定される。手摺部材４０の取付高さＨ１は、図４に示すように、踏板SＦの段鼻から鉛直方向上方にメジャー等を用いて取付高さＨ１を測定し、手摺部材４０の上端の位置Ｐ１を特定する。特定された手摺部材４０の上端の位置Ｐ１を示す点を壁部Ｗに鉛筆等により書いてもよい。階段Ｓの下側の踏板ＳＦにおいても同様に手摺部材４０の上端の位置Ｐ１を特定する。
【００２９】
次に、特定された手摺部材４０の位置Ｐ１に合わせて手摺取付用治具１を壁部Ｗに仮固定する（治具固定工程Ｓ２）。本実施形態に係る手摺取付方法は、手摺取付用治具１を用いる点が特徴の一つである。
【００３０】
手摺取付用治具１について説明する。図５は本実施形態に係る手摺取付用治具１を示す正面図である。図６は、手摺取付用治具１の使用態様を示す断面図である。手摺取付用治具１は、手摺部材４０及び手摺ブラケット２０の取付位置をガイドするための治具である。手摺取付用治具１は、帯形状を有する長尺部材である。手摺取付用治具１は、例えば、紙製、樹脂繊維製等のテープである。手摺取付用治具１は、ロール状に巻回されており、使用時に引き出す。手摺取付用治具１は、後述する手摺端部印Ｍ１０，Ｍ１１、手摺ブラケット取付印Ｍ２０，Ｍ２１が墨出し用具により記入可能な平面を有する。
【００３１】
図５に示すように、手摺取付用治具１は、長手方向Ｌに沿って延びる両端部１１，１２が平行に延びて形成されている。手摺取付用治具１は、長手方向Ｌに直交する方向の幅Ａが、壁部Ｗに取り付けられる手摺部材４０の上端部４１の位置から手摺ブラケット２０の壁部Ｗへの取付基準位置までの長さと等しく設定されている。具体的には、図２に示すように、手摺取付用治具１の幅Ａは、手摺部材４０を手摺ブラケット２０に固定した状態における手摺部材４０の上端部４１の位置から手摺ブラケット２０の壁固定端部２２の上端２４（取付基準位置）までの長さＨ２と等しく設定されている。
【００３２】
図６から図８は、手摺取付方法における治具固定工程Ｓ２の態様を示す模式図である。治具固定工程Ｓ２では、図６及び図７に示すように、手摺部材高さ特定工程Ｓ１にて特定された手摺部材４０の上端の位置Ｐ１に手摺取付用治具１の幅Ａ方向の第一端部１１を合わせて、壁部Ｗに手摺取付用治具１を仮固定する。例えば、図６に示すように、手摺取付用治具１の第一端部１１を手摺部材４０の位置Ｐ１に位置合わせした状態で、手摺取付用治具１の長手方向Ｌの一端部１４を低粘着性のシール材５により壁部Ｗに仮固定する。一端部１４がシール材５により壁部Ｗに仮固定された状態で、手摺取付用治具１をロールから引き出し、階段Ｓの下側で特定した手摺部材４０の位置Ｐ１に、手摺取付用治具１の幅Ａ方向の第一端部１１を合わせる。このとき、施工者は、手摺取付用治具１のロール部分を把持し、壁部Ｗに押し当てながら手摺取付用治具１をロールから引き出してもよい。手摺取付用治具１を下側の手摺部材４０の位置Ｐ１よりも長く引き出したら、その位置で手摺取付用治具１を切断し、シール材５により壁部Ｗに仮固定する。
【００３３】
なお、上述の通り、手摺部材高さ特定工程Ｓ１にて手摺部材４０の位置Ｐ１を２か所特定した後、治具固定工程Ｓ２を行う方法に限定されない。例えば、手摺部材高さ特定工程Ｓ１で一つの位置Ｐ１を特定した後、治具固定工程Ｓ２で手摺取付用治具１の一端部１４を仮固定し、その後、階段Ｓの下側において、再び手摺部材高さ特定工程Ｓ１と治具固定工程Ｓ２とを行い、手摺取付用治具１を壁部Ｗへ仮固定してもよい。
【００３４】
階段Ｓの場合、手摺取付用治具１は、階段Ｓの傾斜角度に沿って水平方向に対して傾斜させて壁部Ｗに仮固定する。踊り場ＳＬの場合床面Ｆが水平であるため、手摺取付用治具１は、壁部Ｗに略水平に仮固定される。治具固定工程Ｓ２では、図８に示すように、階段Ｓの壁部Ｗに設ける手摺用の手摺取付用治具１と、踊り場ＳＬに設ける手摺取付用治具１とを順に壁部Ｗに仮固定する。２つの手摺取付用治具１，１は、長手方向Ｌの端部同士が重なるように壁部Ｗに仮固定する。
【００３５】
手摺取付用治具１が壁部Ｗに仮固定されると、施工者は、第一端部１１により手摺部材４０の上端部４１の位置が認識でき、第二端部１２により、手摺ブラケット２０の壁固定端部２２の上端２４の位置が認識できる。
【００３６】
次に、手摺取付用治具１に手摺端部印Ｍ１０、Ｍ１１を記入する（手摺端部印記入工程Ｓ３）。図８は、手摺端部印記入工程Ｓ３及び手摺ブラケット取付印記入工程Ｓ４の態様を示す模式図である。手摺端部印記入工程Ｓ３では、壁部Ｗに仮固定された手摺取付用治具１に、手摺部材４０の長手方向Ｌの両端部の位置に対応する一対の手摺端部印Ｍ１０、Ｍ１１を記入する。
【００３７】
手摺端部印Ｍ１０，Ｍ１１は、後の工程で取り付ける手摺部材４０の長手方向Ｌの両端部の位置を示す印である。施工者は、手摺取付用治具１により手摺部材４０の取付位置を容易にイメージできる。施工者は、手摺部材４０の両端部の位置を特定し、手摺取付用治具１の第一端部１１に直交する方向、すなわち、幅Ａ方向に沿って手摺取付用治具１上に直線を引いて手摺端部印Ｍ１０、Ｍ１１を記入する。本実施形態では、手摺部材４０の両端部にエンドキャップ３０，３０を設けるが、手摺端部印Ｍ１０，Ｍ１１は、エンドキャップを除いた手摺部材４０の両端部の位置とする。
【００３８】
ここで、複数の手摺部材４０を設ける手摺ユニット１００の場合、長手方向Ｌに隣り合う位置に設けられる各手摺部材４０，４０の配置は、手摺の使用者の利便性及び手摺として外観上一体感を持たせた配置とすることが望ましい。図１０は、本実施形態の手摺ユニット１００の態様を示す模式図である。例えば、図１０に示すように、隣り合う手摺部材４０，４０の端部に設けられたエンドキャップ３０，３０の下端同士の離間距離Ｌ２を所定距離に設定する。複数の手摺部材４０，４０のそれぞれの上記離間距離Ｌ２を統一する。したがって、手摺端部印記入工程Ｓ３では、上記離間距離Ｌ２及びエンドキャップ３０の寸法を考慮して手摺端部印Ｍ１０、Ｍ１１を記入する。具体的には、手摺部材４０の高さ方向の長さＨ３（図２参照）に基づき、手摺取付用治具１の第一端部１１から長さＨ３となる位置に手摺部材４０の下端の位置を示す下端部印Ｍ３０，Ｍ３１を記入する。隣り合う手摺取付用治具１，１の下端部印Ｍ３０，Ｍ３１に交差するようにメジャーを当て、下端部印Ｍ３０，Ｍ３１間の長さが離間距離Ｌ２と略等しい位置を手摺部材４０の端部位置とし、手摺端部印Ｍ１０、Ｍ１１を記入する。つまり、下端部印Ｍ３０，Ｍ３１と手摺端部印Ｍ１０、Ｍ１１との交点間の長さが上記離間距離Ｌ２と等しくなるように、手摺端部印Ｍ１０、Ｍ１１を記入する。
【００３９】
なお、踊り場ＳＬよりも上方の階段に手摺を取り付ける場合、図１５に示すように、隣り合う手摺部材４０の長手方向Ｌの端部間の離間距離Ｌ２は、手摺部材４０の長手方向Ｌの端部の上端部間の距離で設定する。この場合、隣り合う手摺取付用治具１，１の各第一端部１１，１１間の長さをメジャーで測定し、上記離間距離Ｌ２と略等しくなる位置の第一端部１１，１１が手摺部材４０の端部となる。
【００４０】
次に、手摺ブラケット取付印Ｍ２０，Ｍ２１を手摺取付用治具１に記入する（手摺ブラケット取付印記入工程Ｓ４）。手摺ブラケット取付印Ｍ２０，Ｍ２１は、壁部Ｗに手摺ブラケット２０を取付ける位置を示す印である。手摺部材４０の長手方向Ｌの両端部の位置が決まったら、手摺ブラケット２０の取付位置が特定できる。本実施形態では、一本の手摺部材４０を２つの手摺ブラケット２０，２０で支持する。そのため、施工者は、手摺端部印Ｍ１０，Ｍ１１から、長手方向Ｌの中央部側に向かって所定長さの位置に手摺ブラケット２０の取付位置となる手摺ブラケット取付印Ｍ２０，Ｍ２１を手摺取付用治具１上に記入する。上述の通り、手摺ブラケット２０は、手摺取付用治具１の第二端部１２に近接配置するため、手摺ブラケット取付印Ｍ２０，Ｍ２１は、第二端部１２近傍に記入する。
【００４１】
手摺端部印記入工程Ｓ３後、または手摺ブラケット取付印記入工程Ｓ４後に、一対の手摺端部印Ｍ１０，Ｍ１１間の距離Ｌ１に応じて手摺部材４０を切断する（手摺部材切断工程）。手摺部材４０は、施工現場の設置寸法に合わせて施工現場で切断する。施工者は、手摺端部印Ｍ１０，Ｍ１１間の距離Ｌ１を計測し、計測結果に応じて、手摺部材４０を公知の方法により切断する。
【００４２】
次に、手摺ブラケット２０を手摺ブラケット取付印Ｍ２０，Ｍ２１に近接配置して壁部Ｗに固定する（手摺ブラケット固定工程Ｓ５）。図９は、本実施形態に係る手摺取付方法の手摺ブラケット固定工程Ｓ５を示す模式図である。具体的には、図２に示すように、手摺ブラケット２０の壁固定端部２２の上端２４を手摺取付用治具１の第二端部１２の線に沿って近接配置し、固定面２２１を壁部Ｗに当接させて、ネジ９０をネジ孔に挿通して手摺ブラケット２０を壁部Ｗに固定する。
【００４３】
次に、手摺部材４０を手摺ブラケット２０に固定する（手摺部材固定工程Ｓ６）。図１１は、手摺部材固定工程Ｓ６の態様を示す模式図である。具体的には、手摺部材４０の両端部を手摺端部印Ｍ１０、Ｍ１１に位置合わせし、壁部Ｗに固定された一対の手摺ブラケット２０，２０の各載置面２３１，２３１に載置する。手摺ブラケット２０の下方からネジ９０をネジ孔に挿通して手摺部材４０を手摺ブラケット２０に固定する。その後、図２に示すように、ネジ隠しカバー２６を手摺ブラケット２０に係合させて凹部を覆う。手摺部材４０の両端部にエンドキャップ３０，３０を外嵌する。
【００４４】
以上で手摺部材４０が壁部Ｗに取り付けられる。複数の手摺ブラケット２０及び手摺部材４０を上記手摺ブラケット固定工程Ｓ５及び手摺部材固定工程Ｓ６により壁部Ｗに固定する。手摺部材固定工程Ｓ６の後、手摺取付用治具１を壁部Ｗから取り外し（治具取外し工程）、手摺ユニットの取付作業が終了する。
【００４５】
なお、本発明に係る手摺取付方法は、壁紙等の仕上げ材が設けられている壁部Ｗに手摺ユニット１００を取り付ける場合や仕上げ材が設けられる前の段階で、壁部Ｗに手摺ユニット１００を取り付ける場合に適用できる。仕上げ材が設けられる前に手摺ユニット１００を取り付ける作業を行う場合は、手摺ブラケット固定工程Ｓ５において、手摺ブラケット２０を壁部Ｗに仮固定し、手摺部材固定工程Ｓ６において、手摺部材４０を手摺ブラケット２０に仮固定する。その後、手摺ブラケット２０を壁部Ｗから取り外す。その後、仕上げ材が壁部Ｗに設けられた後に手摺ブラケット２０を本固定すればよい。
【００４６】
本実施形態に係る手摺取付方法によれば、手摺部材４０及び手摺ブラケット２０を取り付ける作業が容易に行える。具体的には、手摺部材高さ特定工程Ｓ１により特定された手摺部材４０の取付高さＨ１に合わせて長尺な手摺取付用治具１を壁部Ｗに仮固定し、手摺取付用治具１の位置に合わせて手摺ブラケット２０及び手摺部材４０を固定するため、壁部Ｗに墨出し線を引く必要がない。その結果、例えば、壁紙等の仕上げ材で覆われた壁部Ｗに手摺を取り付ける場合であっても、墨出し線等で壁部を汚すことなく、容易に手摺部材４０及び手摺ブラケット２０を位置決めして取り付けることができる。この結果、壁部Ｗを汚すことなく手摺部材４０及び手摺ブラケット２０を取り付ける作業が容易に行える手摺取付方法を提供できる。
【００４７】
本実施形態に係る手摺取付方法によれば、手摺端部印記入工程Ｓ３において手摺取付用治具１に記入した一対の手摺端部印Ｍ１０，Ｍ１１間の距離に応じて手摺部材４０を切断できる。この結果、施工現場毎に異なる手摺部材４０の寸法の計測が容易であり、且つ、手摺部材４０を設置寸法に対応させて容易に切断できる。
【００４８】
本実施形態に係る手摺取付方法によれば、手摺部材４０及び手摺ブラケット２０の取付位置を示す印Ｍ１０，Ｍ１１，Ｍ２０，Ｍ２１を手摺取付用治具１に記入し、手摺ブラケット２０及び手摺部材４０を固定した後、手摺取付用治具１を壁部Ｗから取り外すことができる。したがって、壁部Ｗに直接墨出し線を付す従来の方法に比べて、壁部Ｗを汚すことなく手摺部材４０及び手摺ブラケット２０を容易に位置決めして取り付けられる。この結果、壁紙等の仕上げ材が設けられている壁部Ｗであっても容易に手摺を取り付けられる。
【００４９】
本実施形態に係る手摺取付方法によれば、手摺取付用治具１が長尺な帯形状を有し、長手方向Ｌに直交する方向の幅Ａが、手摺部材４０の上端部から手摺部材４０が取り付けられる手摺ブラケット２０の壁部Ｗへの取付位置までの長さＨ２と等しい。このため、手摺取付用治具１を壁部Ｗに仮固定することにより、手摺部材４０の取付位置に応じた手摺ブラケット２０の取付基準位置を容易に特定できる。また、壁部Ｗに墨出し線を引く必要がない。さらに、手摺取付用治具１により手摺ブラケット２０の取り付け位置を容易に視認できる。したがって、手摺部材４０及び手摺ブラケット２０を取り付ける作業が容易に行える手摺取付用治具１を提供できる。
【００５０】
本実施形態に係る手摺取付用治具１によれば、帯形状の手摺取付用治具の長手方向に沿って設けられたガイド線１３により、手摺部材４０の下端の高さまたは手摺ブラケット２０における手摺部材４０の固定位置を容易に視認できる。
【００５１】
本実施形態に係る手摺取付用治具１によれば、手摺取付用治具１を壁部Ｗに仮固定すると、第一端部１１により手摺部材４０の取り付け位置が容易に位置決めされ、第二端部１２により手摺ブラケット２０の取り付け位置が容易に位置決めできる。
【００５２】
手摺取付用治具１は上記実施形態の構成に限定されない。図１２に、手摺取付用治具の変形例を示す。図１３に手摺取付方法の変形例の縦断面図を示す。なお、以下の説明において、上記実施形態と同様の構成には実施形態と同一の符号を付し、重複する説明を省略する。図１２に示すように、手摺取付用治具１Ａにさらにガイド線１３が設けられていてもよい。ガイド線１３は、手摺取付用治具１Ａの平面部に直線状に印刷されている。
【００５３】
図１４は、変形例の手摺取付用治具１Ａを用いた手摺取付方法を示す模式図である。例えば、手摺部材４０の高さ方向の長さＨ３と、第一端部１１からガイド線１３までの長さが等しくなる位置にガイド線１３を設け、ガイド線１３を手摺部材４０の下端位置を示すガイド線としてもよい。この場合、上記実施形態で行った、下端部印Ｍ３０，Ｍ３１を記入する作業が不要となる。図１４に示すように、治具固定工程Ｓ２により隣り合う手摺部材４０，４０用の手摺取付用治具１Ａ，１Ａと壁部Ｗに仮固定した後、各手摺取付用治具１Ａ，１Ａの各ガイド線１３，１３に交差するようにメジャーを配置し、ガイド線１３，１３間の長さが、上述の手摺部材４０の長手方向Ｌの端部間の離間距離Ｌ２と略等しい位置が手摺部材４０の長手方向Ｌの端部位置である。その位置に、手摺端部印Ｍ１０，Ｍ１１を記入する。
【００５４】
この他、手摺ブラケット２０の固定面２２１の上端部の位置を示すガイド線としてもよい。すなわち、手摺部材４０と手摺ブラケット２０との高さ方向（長手方向Ｌに直交する方向）の相対位置は、手摺ユニット１００の設置場所に関わらず一定である。そこで、ガイド線１３は、手摺部材４０と手摺ブラケット２０との位置関係が一定である箇所の寸法に応じて手摺取付用治具１Ａに設ける。また、ガイド線１３は複数設けてもよい。
【００５５】
手摺取付用治具にガイド線１３を設けてロール状に巻回する場合、図１２に示すように、ロールの内側となる面（内側面）にガイド線１３を設けると、手摺取付用治具１Ａのロールの外側を壁部Ｗに当接させながら手摺取付用治具１Ａを引き出して壁部Ｗに仮固定することができる。この結果、治具固定工程Ｓ２が円滑に行える。
【００５６】
ガイド線１３は、手摺取付用治具１Ａの両面に設けられていてもよい。また、本変形例では、ガイド線１３は、第一端部１１及び第二端部１２に平行に設けられている例を示しているが、例えば、手摺ブラケットの形状に沿ったガイド線を設けてもよい。
【００５７】
本実施形態では、手摺部材４０の長手方向Ｌに直交する断面形状が略矩形の例を示したが、手摺部材４０の形状はこれに限定されず、長尺な部材であればよい。例えば、図１３に示すように、長手方向Ｌに直交する断面形状が略円形の手摺部材４０Ａであってもよい。この場合、手摺ブラケット２０Ａの手摺固定端部２３Ａは、手摺部材４０Ａの外周面の形状に対応する円弧形状の凹部となる。
【００５８】
また、上記実施形態では、取付基準位置を手摺ブラケット２０の壁固定端部２２の上端２４である例を示したが、取付基準位置はこれに限定されない。例えば、図１３に示すように、手摺ブラケット２０Ａを壁部Ｗにネジ固定するネジ孔２５Ａの位置を取付基準位置としてもよい。この場合、手摺取付用治具１の第二端部１２がネジ孔２５Ａに重なる位置に手摺ブラケット２０Ａを配置し、ねじ９０で手摺ブラケット２０Ａを壁部Ｗに固定する。
【００５９】
この変形例の場合、図１２に示す変形例のように、ガイド線１３が設けられる手摺取付用治具１を使用すれば、手摺取付用治具１の第二端部１２とガイド線１３との間の長さをが、ネジ孔２５Ａと固定面２２１Ａの上端との間の長さとなるようにガイド線１３を設定すれば、手摺ブラケット２０Ａをさらに容易に位置決めできる。すなわち、ガイド線１３と固定面２２１Ａの上端とが一致するように手摺ブラケット２０Ａを壁部Ｗに配置し、ネジ９０で手摺ブラケット２０Ａを固定する方法であってもよい。
【００６０】
なお、図１３に示す変形例では、手摺ブラケット２０Ａの固定面２２１Ａの上部が手摺取付用治具１の第二端部１２近傍を覆うように手摺ブラケット２０Ａが取り付けられるが、手摺取付用治具１は厚さが薄いため、手摺ブラケット２０Ａの壁部Ｗへの取付の支障とならない。
【００６１】
上記実施形態では、各手摺部材４０の両端部同士が離間して設けられる手摺ユニット１００の例を示したが、手摺部材４０及び手摺ブラケット２０の構成は上記実施形態の態様に限定されない。本発明に係る手摺取付方法は、壁部に公知の手摺部材及び手摺ブラケットを取り付ける場合に適用できる。例えば、長手方向に隣り合う手摺部材間を連結ブラケットで連結する手摺ユニットや、長手方向に隣り合う手摺部材間に手摺部材の連結と支持を兼ねる一つの手摺ブラケットを設ける構成の手摺ユニットであってもよい。
【００６２】
上記実施形態では、階段Ｓ及び踊り場ＳＬの壁部Ｗに手摺を設ける例を示したが、手摺ユニット１００を取り付ける場所はこれに限定されない。本発明に係る手摺取付方法は、例えば、廊下の壁部やスロープの壁部に手摺を取り付ける場合にも好適に使用できる。
【００６３】
以上、本発明の実施形態について図面を参照して詳述したが、具体的な構成はこの実施形態に限られるものではなく、本発明の要旨を逸脱しない範囲の設計変更等も含まれる。
また、上述の実施形態及び各変形例において示した構成要素は適宜に組み合わせて構成することが可能である。
【符号の説明】
【００６４】
１  手摺取付用治具
１１  第一端部（手摺部材位置決め部）
１２  第二端部（ブラケット位置決め部）
２０，２０Ａ  手摺ブラケット
２２  壁固定端部（固定部）
４０  手摺部材
Ｍ１０，Ｍ１１  手摺端部印
Ｍ２０，Ｍ２１  手摺ブラケット取付印
【図１】
2020002687.tif 000003
【図２】
2020002687.tif 000004
【図３】
2020002687.tif 000005
【図４】
2020002687.tif 000006
【図５】
2020002687.tif 000007
【図６】
2020002687.tif 000008
【図７】
2020002687.tif 000009
【図８】
2020002687.tif 000010
【図９】
2020002687.tif 000011
【図１０】
2020002687.tif 000012
【図１１】
2020002687.tif 000013
【図１２】
2020002687.tif 000014
【図１３】
2020002687.tif 000015
【図１４】
2020002687.tif 000016
【図１５】
2020002687.tif 000017